(57)【要約】【課題】排水性も良好であり、かつブロックとしての所要の強度を持たせることができる発泡樹脂製の盛土用ブロックＡ１を得る。また、裁断によって標準品をより小さなブロックに分割したときでも、分割後の盛土用ブロックの周側壁に強度の弱い部分が生じることのない発泡樹脂製の盛土用ブロックＡ１を得る。【解決手段】発泡樹脂製の盛土用ブロックＡ１は、矩形状の天板１と、天板１の４つの周縁部から垂下する４つの周側壁２と、周側壁２と同じ高さであり周側壁２で囲われた空間Ｓを仕切る仕切り壁３とを備える。周側壁２および仕切り壁３には天板１の裏面に達する深さの適数の縦溝４が形成され、仕切り壁３は周側壁２の厚みのほぼ２倍とされている。【選択図】図１
2014163050.tif 000002
【特許請求の範囲】
【請求項１】
発泡樹脂製の盛土用ブロックであって、矩形状の天板と、前記天板の４つの周縁部から垂下する４つの周側壁と、前記周側壁と同じ高さであり周側壁で囲われた空間を仕切る一枚以上の仕切り壁とを備え、前記周側壁および前記仕切り壁には天板の裏面に達する深さの適数の縦溝が形成されており、前記仕切り壁のうち少なくとも一枚の厚みは前記周側壁の厚みのほぼ２倍または２倍以上であることを特徴とする発泡樹脂製の盛土用ブロック。
【請求項２】
前記仕切り壁は前記周側壁に平行に形成されていることを特徴とする請求項１に記載の発泡樹脂製の盛土用ブロック。
【請求項３】
前記仕切り壁は対向する２つの周側壁を接続する少なくとも一枚の第１仕切り壁と対向する他の２つの周側壁を接続する少なくとも一枚の第２仕切り壁とで構成され、前記第１仕切り壁の少なくとも一枚の厚みは前記周側壁の厚みのほぼ２倍または２倍以上であり、前記第２仕切り壁の少なくとも一枚の厚みは前記周側壁の厚みのほぼ２倍または２倍以上であることを特徴とする請求項２に記載の発泡樹脂製の盛土用ブロック。
【請求項４】
前記周側壁と前記仕切り壁とで仕切られた各分割空間内には前記仕切り壁と同じ高さの少なくとも１つの突起部が形成されていることを特徴とする請求項１ないし３のいずれか一項に記載の発泡樹脂製の盛土用ブロック。
【請求項５】
前記周側壁の入り隅部と前記突起部とを接続する補強壁をさらに備えることを特徴とする請求項４に記載の発泡樹脂製の盛土用ブロック。
【請求項６】
前記周側壁と前記仕切り壁とで構成される入り隅部と前記突起部とを接続する補強壁をさらに備えることを特徴とする請求項５に記載の発泡樹脂製の盛土用ブロック。
【請求項７】
前記周側壁の対向する入り隅部同士を接続する第３仕切り壁をさらに備え、前記第３仕切り壁には天板の裏面に達する適数の縦溝が形成されており、前記第３仕切り壁の厚みは前記周側壁の厚みのほぼ２倍または２倍以上であることを特徴とする請求項３に記載の発泡樹脂製の盛土用ブロック。
【請求項８】
前記周側壁と前記第１、第２または第３仕切り壁で仕切られた各分割空間内には前記仕切り壁と同じ高さの少なくとも１つの突起部が形成されていることを特徴とする請求項７に記載の発泡樹脂製の盛土用ブロック。
【請求項９】
前記周側壁と前記第１または第２仕切り壁とで構成される入り隅部と前記突起部とを接続する補強壁をさらに備えることを特徴とする請求項８に記載の発泡樹脂製の盛土用ブロック。
【請求項１０】
前記突起部は先端に嵌合凹部を有するものと先端に嵌合凸部を有するものを含むことを特徴とする請求項４または８に記載の発泡樹脂製の盛土用ブロック。
【請求項１１】
前記仕切り壁の頂面には、長手方向全長にわたって切り込みが形成されており、該切り込みは、その両端において前記周側壁の外側面にまで延長していることを特徴とする請求項１ないし３のいずれか一項に記載の発泡樹脂製の盛土用ブロック。
【請求項１２】
請求項１ないし１１のいずれか一項に記載の発泡樹脂製の盛土用ブロックを同じ向きに多段にまたは開口面同士を対向させて重ね合わせてなることを特徴とする盛土用ユニット。
【請求項１３】
請求項１２に記載の盛土用ユニットを複数個用意し、これらの盛土用ユニットをそのままでまたは不織布で包み込んだ状態で地中に埋設してなる構造を有することを特徴とする盛土構築体。
【発明の詳細な説明】
【技術分野】
【０００１】
本発明は、発泡樹脂製の盛土用ブロックおよびそれを用いた盛土用ユニットならびに盛土用ユニットからなる盛土構築体に関する。
【背景技術】
【０００２】
近年、軟弱地盤地域等に盛土を行う場合、盛土材として土や砂等に代わって発泡ポリスチレンブロック等である発泡樹脂製のブロックを使用することが行われている。これは、直方体の発泡樹脂製のブロックを軟弱地盤上に積み重ねて盛土とし、その上に道路等を建設するものであり、土や砂等に比べて単位体積当たりの重量が小さい発泡樹脂製のブロックを利用することにより、地盤沈下の軽減を図ることができる。
【０００３】
ところで、発泡樹脂製のブロックは不透水性であり、しかも浮力が大きいので、大雨や洪水等の異常時にブロックの埋設位置よりも地下水位が高くなった場合、発泡樹脂製のブロックに大きな浮力が作用してしまうという問題がある。それを解決できるようにした発泡樹脂製の盛土用ブロックが特許文献１に記載されている。特許文献１に記載の盛土用ブロックは、格子状の側壁と天井板とで複数の水溜部を形成し、格子状の側壁には天井板には達しない深さの縦溝を形成し、天井板の外表面に排水溝を設けるとともに、排水溝の底部から各水溜部内に貫通する小孔を複数個形成した構成とされている。また、格子状の側壁の厚みはすべて同じとされている。
【０００４】
この発泡樹脂製の盛土用ブロックを用いた盛土構築体では、地下水位が上昇したときに、地下水は盛土用ブロックの内部空間である水溜部内に浸入していくことで、盛土用ブロックに作用する浮力を小さくすることができ、盛土構築体の安定性を確保することができる。
【先行技術文献】
【特許文献】
【０００５】
【特許文献１】特開平１１−２２９３７９号公報
【発明の概要】
【発明が解決しようとする課題】
【０００６】
上記特許文献１に記載される形態の盛土用ブロックを用いることで、地下水位の上昇による盛土用ブロックの浮き上がりを効果的に抑制することができる。しかし、地下水の浸入および排出口である側壁に形成した縦溝は天井板には達しない深さとされており、縦溝の下端と天井板との間に地下水が滞留するのを避けられない。滞留した地下水を外部に排出するために、天井板の外表面に排水溝を設け、排水溝の底部から各水溜部内に貫通する小孔を天井板に複数個形成するようにしており、構成が複雑となっている。
【０００７】
また、天井板に形成した小孔が地下水中の浮遊物によって塞がれてしまう恐れがあり、その場合、排水性が低下するとともに、天井板裏面に浮遊物が堆積することで有効貯水容積が小さくなり、浮力低減効果を阻害する要因になるのを避けられない。格子状の側壁全体の厚みを厚くすることで側圧に対する強度を向上させることができるが、その分、有効貯水容積が小さくなるのを避けられない。
【０００８】
また、施工現場によっては、標準品の大きさではなく、より小さな盛土用ブロックが必要となる場合があり、そのとき、施工現場では、標準品の盛土用ブロックの一部を裁断することで所要の大きさの盛土用ブロックを調製することが行われる。そのような際に、特許文献１に記載されるような格子状の側壁がすべて同じ厚みである盛土用ブロックの場合には、側壁の厚み方向の中央部で裁断すると裁断面での側壁の厚みが他の側壁よりも薄くなってしまい、強度的に不安定なものとなる。側壁の一方の側面に沿って裁断する場合には、４周の側壁の厚みが同じ厚みの小寸法の盛土用ブロックを得ることができるが、残された盛土用ブロックは一側面または２側面に周側壁を備えない形状とのものとなり、標準品とは形状が異なることから、無駄な部材となりやすい。
【０００９】
本発明は、上記のような事情に鑑みてなされたものであり、簡素な構成でありながら、排水性も良好であり、貯水空間も大きく取ることができ、かつブロックとしての所要の強度を持たせることができるようにした、より改良された発泡樹脂製の盛土用ブロックを提供することを第１の課題とする。また、裁断によって標準品をより小さなブロックに分割したときでも、分割後の盛土用ブロックの周側壁に強度の弱い部分が生じることのないようにした発泡樹脂製の盛土用ブロックを提供することを第２の課題とする。さらに、上記の発泡樹脂製の盛土用ブロックからなる盛土用ユニット、および、盛土用ユニットを備えた盛土構築体を提供することを第３、第４の課題とする。
【課題を解決するための手段】
【００１０】
本発明による発泡樹脂製の盛土用ブロックは、矩形状の天板と、前記天板の４つの周縁部から垂下する４つの周側壁と、前記周側壁と同じ高さであり周側壁で囲われた空間を仕切る一枚以上の仕切り壁とを備え、前記周側壁および前記仕切り壁には天板の裏面に達する深さの適数の縦溝が形成されており、前記仕切り壁のうち少なくとも一枚の厚みは前記周側壁の厚みのほぼ２倍または２倍以上であることを特徴とする。
【００１１】
本発明による発泡樹脂製の盛土用ブロックでは、４つの周側壁と仕切り壁とに天板の裏面に達する深さの適数の縦溝が形成されている。この縦溝は、盛土用ブロックが地中に埋設されたときに地下水の浸入口および排出口となるが、縦溝は天板の裏面に達する深さとされており、地下水位の上昇時には地下水は貯水用空間内に浸入しやすく、また、地下水位が低下したときには貯水用空間の全領域から速やかに排出される。そのために、天板の裏面側に地下水が滞留するようなことはない。また、構成も簡単であり、製造も容易である。
【００１２】
さらに、仕切り壁のうち少なくとも一枚の厚みは周側壁の厚みのほぼ２倍または２倍以上とされており、厚みの厚い仕切り壁が存在することで、周側壁や他の仕切り壁を薄いものとしても、盛土用ブロックは全体として土圧（側圧）に対して高い耐性を持つことができる。そのために、有効貯水空間を大きく犠牲にすることなく、所望の貯水空間を持つ盛土用ブロックが得られる。
【００１３】
さらに、標準品よりも小さい形状の盛土用ブロックが必要とされる場合には、施工現場等で、前記周側壁の厚みのほぼ２倍または２倍以上とされている仕切り壁の部分で裁断することにより、４周にほぼ同じ厚みの周側壁を備えた、標準品より小型の盛土用ブロックを容易に調製することができる。
【００１４】
本発明による発泡樹脂製の盛土用ブロックの一態様において、前記仕切り壁は前記周側壁に平行に形成されていることを特徴とする。この態様では、補強材として機能する厚みの厚い仕切り壁と周側壁とは垂直に交差することとなり、側圧に対する強度が一層向上する。それにより、側圧により周側壁および仕切り壁が挫屈してしまうのを、一層確実に阻止することができる。また、裁断により、平面視で矩形状をなす小型の盛土用ブロックを容易に調製することができるので、施工現場で使いやすい盛土用ブロックとなる。もちろん、施工現場の要求によっては、仕切り壁が周側壁と交差する方向に形成されている盛土用ブロックとすることもできる。
【００１５】
本発明による発泡樹脂製の盛土用ブロックの一態様において、前記仕切り壁は対向する２つの周側壁を接続する少なくとも一枚の第１仕切り壁と対向する他の２つの周側壁を接続する少なくとも一枚の第２仕切り壁とで構成され、前記第１仕切り壁の少なくとも一枚の厚みは前記周側壁の厚みのほぼ２倍または２倍以上であり、前記第２仕切り壁の少なくとも一枚の厚みは前記周側壁の厚みのほぼ２倍または２倍以上であることを特徴とする。
【００１６】
この態様の盛土用ブロックでは、より多くの枚数の仕切り壁を互いに交差する方向に備えていることで、上下方向の圧力に対してより強度の大きな盛土用ブロックとなる。また、交差する方向にそれぞれ周側壁の厚みのほぼ２倍または２倍以上とされた第１および第２仕切り壁を備えることで、裁断により、平面視で矩形状であるより多くの異なった大きさの小型の盛土用ブロックを調整することができ、施工現場での対応幅が広くなる。
【００１７】
本発明による発泡樹脂製の盛土用ブロックの他の態様において、前記周側壁と前記仕切り壁とで仕切られた各分割空間内には前記仕切り壁と同じ高さの少なくとも１つの突起部が形成されていることを特徴とする。この形態では、前記突起部を有することで、上下方向の圧力に対してさらに強度の大きい盛土用ブロックとなる。
【００１８】
本発明による発泡樹脂製の盛土用ブロックの他の態様において、前記周側壁の入り隅部と前記突起部とを接続する補強壁をさらに備えることを特徴とする。また、前記周側壁と前記仕切り壁とで構成される入り隅部と前記突起部とを接続する補強壁をさらに備えることを特徴とする。これらの態様では、前記補強壁を備えることで、上下方向の圧力によって入り隅部が外側に広がろうとするのを抑え込むことが可能となり、より強度の大きい盛土用ブロックが得られる。
【００１９】
本発明による発泡樹脂製の盛土用ブロックのさらに他の態様では、前記周側壁の対向する入り隅部同士を接続する第３仕切り壁をさらに備え、前記第３仕切り壁には天板の裏面に達する適数の縦溝が形成されており、前記第３仕切り壁の厚みは前記周側壁の厚みのほぼ２倍または２倍以上であることを特徴とする。この態様では、標準品である盛土用ブロックを第３仕切り壁を利用して周側壁と交差する方向で裁断することが可能となり、施工現場でのより多くの要求に応えることができる。
【００２０】
上記第３仕切り壁を備えた形態の発泡樹脂製の盛土用ブロックにおいても、必要に応じて、前記周側壁と前記第１、第２たまは第３仕切り壁で仕切られた各分割空間内に前記仕切り壁と同じ高さの少なくとも１つの突起部が形成される。また、前記周側壁と前記第１または第２仕切り壁とで構成される入り隅部と前記突起部とを接続する補強壁がさらに備えられる。これらの形態での前記突起部および補強壁が奏する作用効果は、第３仕切り壁を備えない盛土用ブロックの場合と同様であり、上下方向の圧力によって入り隅部が外側に広がろうとするのを抑え込むことが可能となる。
【００２１】
本発明による発泡樹脂製の盛土用ブロックのさらに他の態様では、前記突起部は先端に嵌合凹部を有するものと先端に嵌合凸部を有するものとを含むことを特徴とする。この態様では、２つの盛土用ブロックをその開放面側を対向させて積み重ねるときに、嵌合凹部と嵌合凸部とが互いに勘合した状態とすることで、安定した積み重ねた姿勢を得ることができる。
【００２２】
本発明による発泡樹脂製の盛土用ブロックのさらに他の態様では、前記仕切り壁の頂面には、長手方向全長にわたって切り込みが形成されており、該切り込みは、その両端において前記周側壁の外側面にまで延長していることを特徴とする。この態様では、仕切り壁の部分で裁断する際に、該切り込みが目印となって標準品より小型の盛土用ブロックを容易に調製することができる。
【００２３】
また、本発明による盛土用ユニットは、上記した発泡樹脂製の盛土用ブロックを同じ向きに多段にまたは開口面同士を対向させて重ね合わせてなることを特徴とする。この盛土用ユニットでは、周側壁に形成した縦溝を介して水が内部空間に入り込み、また排出されるので、地中に埋設した状態で地下水位が上昇した場合でも、盛土用ユニットが浮力により浮き上がるのを阻止することができる。また、地下水位が低下したときには、貯留されていた地下水は速やかに盛土用ユニットから排出されるので、軽量盛土としての機能は喪失しない。
【００２４】
また、本発明による盛土構築体は、上記の盛土用ユニットを複数個用意し、これらの盛土用ユニットをそのままでまたは不織布で包み込んだ状態で地中に埋設してなる構造を有することを特徴とする。この盛土構築体は、浮力対策を備えた軟弱地盤等での土に代わる軽量盛土としてきわめて有効となる。不織布で包み込んだ状態とすることで、盛土用ユニットの内部空間内に土砂などが入り込むのを阻止することができ、寿命の長い盛土構築体が得られる。
【発明の効果】
【００２５】
本発明によれば、簡素な構成でありながら、排水性も良好であり、貯水空間も大きく取ることができ、かつブロックとしての所要の強度を持たせることができる発泡樹脂製の盛土用ブロックが得られる。また、裁断によって標準品をより小さなブロックに分割したときでも、分割後の盛土用ブロックの周側壁に強度の弱い部分が生じることのない発泡樹脂製の盛土用ブロックが得られる。さらに、軟弱地盤等での土に代わる軽量盛土としてきわめて有効となる盛土用ユニットおよび盛土構築体が得られる。
【図面の簡単な説明】
【００２６】
【図１】本発明による盛土用ブロックの一実施の形態を示す図であり、図１（ａ）は開放面側から見た斜視図、図１（ｂ）は図１（ａ）のｂ−ｂ線による断面図、図１（ｃ）は図１（ａ）のｃ−ｃ線による断面図。
【図２】図１（ａ）で仮想線で囲った２つの部分の拡大斜視図。
【図３】図１に示す盛土用ブロックからなる盛土用ユニットの一例を説明する断面図。
【図４】本発明による盛土用ブロックの他の実施の形態を示す斜視図。
【図５】本発明による盛土用ブロックのさらに他の実施の形態を示す斜視図。
【図６】本発明による盛土用ブロックのさらに他の実施の形態を示す斜視図。
【図７】実施例と比較例での結果を示す応力歪み曲線図。
【発明を実施するための形態】
【００２７】
以下、図面を参照しながら本発明のいくつかの実施の形態を説明する。なお、本発明による発泡樹脂製の盛土用ブロックは、発泡ポリスチレン、発泡ポリウレタン、発泡ポリ塩化ビニルまたは発泡ポリオレフィンのような発泡合成樹脂の一体成形品であり、天板、周側壁、仕切り壁、突起部または補強壁を形成している発泡合成樹脂の密度は、限定されないが、４０〜６５ｋｇ／ｍ３程度であることが望ましい。また、盛土用ブロックの大きさは、特に制限はないが、例えば１０００×１０００×２５０ｍｍ程度のものが、作業能率の観点から主に用いられる。
【００２８】
［盛土用ブロックの第１の実施の形態］
図１は、本発明による発泡樹脂製の盛土用ブロックの第１の実施の形態を示している。この盛土用ブロックＡ１は、密度が５０ｋｇ／ｍ３である発泡ポリスチレンの一体成形品であり、縦１０００ｍｍ、横１０００ｍｍ、高さ２５０ｍｍの大きさである。盛土用ブロックＡ１は、平面視正方形の天板１と、該天板１の４つの周縁部から垂下する４つの周側壁２（２ａ〜２ｄ）と、該周側壁２と同じ高さであり周側壁２（２ａ〜２ｄ）で囲われた空間Ｓを仕切る仕切り壁３とを備える。
【００２９】
仕切り壁３の枚数および形成位置に制限はないが、図１に示すものでは、一方の対向する周側壁２ａと２ｃの横幅方向の中央部同士を接続する第１仕切り壁３ａと、他方の対向する周側壁２ｂと２ｄの横幅方向の中央部同士を接続する第２仕切り壁３ｂの２枚で構成されており、第１仕切り壁３ａと第２仕切り壁３ｂは周側壁２に対しては平行に位置しているとともに、互いに直交している。よって、４つの周側壁２ａ〜２ｄで囲まれる空間Ｓは、第１仕切り壁３ａと第２仕切り壁３ｂとによって、４つの等しい大きさの分割空間Ｓ１〜Ｓ４に仕切られている。
【００３０】
２枚の仕切り壁３ａ、３ｂの厚さは、ともに周側壁２の厚さのほぼ２倍とされており、図示の例では、周側壁２の厚さは３０ｍｍ、仕切り壁３の厚さは６０ｍｍである。なお、限定されないが、この例では、前記天板１の厚さは周側壁２の厚さとほぼ同じにされている。
【００３１】
周側壁２および仕切り壁３には、天板１の底面にまで達する深さのほぼＶ字状をなす縦溝４が適数個だけ形成されている。図示の例では、周側壁２ａ〜２ｄのそれぞれには６個の縦溝４が、また、２枚の仕切り壁３ａ、３ｂにはそれぞれ６個の縦溝４が、ほぼ等間隔に形成されている。それにより、前記した４つの分割空間Ｓ１〜Ｓ４は、それぞれ、３×４個＝１２個の縦溝４を持つこととなり、その縦溝４によって、外側の空間および隣接する他の分割空間と連通した状態となっている。
【００３２】
周側壁２の内側面における前記縦溝４と縦溝４の間には天板１の裏面に達する補強リブ５が一体成形されている。また、仕切り壁３の両側面における前記縦溝４と縦溝４の間にも、天板１の裏面に達する補強リブ５が一体成形されている。好ましくは、図示のように、補強リブ５は天板１側がより幅広となる側面視で台形状とされる。
【００３３】
前記各分割空間Ｓ１〜Ｓ４、すなわち周側壁２と仕切り壁３とで区画される４つの各分割空間Ｓ１〜Ｓ４内には、仕切り壁３と同じ高さの少なくとも１つの突起部６が形成されている。図示のものにおいては、各分割空間Ｓ１〜Ｓ４に、それぞれ４個の突起部６が形成されている。突起部６の形状に制限はなく任意であってよいが、図示のものでは、円柱または角柱であり、その周囲には、周側壁２と平行方向に十文字状の補強リブ７が一体成形されている。好ましくは、補強リブ７も、補強リブ５と同様に、天板１側がより幅広となる側面視で台形状とされる。
【００３４】
各分割空間Ｓ１〜Ｓ４内において、４個の突起部６の配置位置は同じとされており、好ましくは、４個の突起部６はほぼ等しい距離をおいて分散して各分割空間Ｓ１〜Ｓ４内に配置されている。また、分割空間Ｓ１と該分割空間Ｓ１の対角線方向に位置する分割空間Ｓ３においては、２個の突起部６の頂部には、図２（ａ）に示すように、嵌合凹部８が形成されており、分割空間Ｓ２と該分割空間Ｓ２の対角線方向に位置する分割空間Ｓ４においては、２個の突起部６の頂部に、図２（ｂ）に示すように、嵌合凸部９が形成されている。なお、図２（ｂ）に示すように、嵌合凸部９は中間にわずかに大径とされた膨出部９ａを備えており、嵌合凹部８は、図２（ａ）に示すように、嵌合凸部９に形成された膨出部９ａが嵌入できる凹陥部８ａを備えている。
【００３５】
従って、盛土用ブロックＡ１は、図３に示すように、２枚の同じ盛土用ブロックＡ１、Ａ１を、互いの開放面側、すなわち天板１とは反対側の面を互いに対向するようにしてように重ね合わせたときに、双方の周側壁２、仕切り壁３、すべての突起部６は、互いに衝接した姿勢で重ね合わされる。そして、突起部６の先端に形成した嵌合凹部８内には、他の突起部６の先端に形成した嵌合凸部９が嵌入した姿勢となり、２枚の盛土用ブロックＡ１、Ａ１は横ずれを起こさない状態で、安定した姿勢で重ね合わされる。
【００３６】
図示される盛土用ブロックＡ１では、図１（ａ）に示すように、交差する周側壁２、２（例えば、周側壁２ａと２ｂ）が形成する４つの入り隅部と、該各入り隅部の近くに位置する突起部６は全長にわたる補強壁１０によって接合されている。また、各周側壁２と２つの仕切り壁３（第１仕切り壁３ａと第２仕切り壁３ｂ）のいずれかとの交差部に形成される８個の入り隅部と、前記各入り隅部の近くに位置する突起部６も全長にわたる補強壁１０によって接合されている。さらに、２つの仕切り壁３（第１仕切り壁３ａと第２仕切り壁３ｂ）の交差部に形成される４つの入り隅部と、前記各入り隅部の近くに位置する突起部６も全長にわたる補強壁１０によって接合されている。
【００３７】
また、図示される盛土用ブロックＡ１では、図１（ａ）に示すように、２つの仕切り壁３（第１仕切り壁３ａと第２仕切り壁３ｂ）の頂面には、長手方向全長にわたって目印となる切り込み１１が形成されており、該切り込み１１は、その両端において、周側壁２の外側面にまで延長している。切り込み１１は、例えば幅１０ｍｍ、深さ５ｍｍの半円状またはＶ字状の凹溝である。
【００３８】
［盛土用ブロックの使用形態−その１］
上記の盛土用ブロックＡ１は、軟弱地盤等において、盛土材として用いられる。一つの使用態様では、図３に示すように、同じ形状の２枚の盛土用ブロックＡ１、Ａ１を、開放面側を互いに対向するようにしてように重ね合わせて、１つの盛土用ユニットＢとする。必要に応じて、不織布で包み込む。盛土用ユニットＢの複数個を盛土として軟弱地盤等の上に面方向および上下方向に配置し、周囲を土で覆うことで、盛土用ユニットは地中に埋設され、図示しない盛土構築体とされる。その際に、地下水位の上昇で冠水しやすい下層部のみに盛土用ユニットＢを配置し、冠水の虞れのない表層部においては、空間部のない密に構成された通常の発泡樹脂ブロックを盛土として配置するようにしてもよい。
【００３９】
盛土構築体において、地下水位が上昇すると、地下水は盛土用ユニットＢの内部空間Ｓ（各分割空間Ｓ１〜Ｓ４）内に、前記周側壁２に形成された縦溝４を通って浸入する。浸入した地下水は、さらに、仕切り壁３に形成された縦溝４を通って流入し、各分割空間内に均等に貯留される。地下水が盛土用ブロックＡ１の内部空間Ｓ内に浸入することで、盛土用ユニットＢが浮力によって浮上しようとするのを回避することができる。地下水位が低下するときには、貯留されていた地下水は、速やかに盛土用ユニットＢの外に排出される。盛土用ブロックＡ１では、前記縦溝４は、天板１の裏面にまで達するように形成されており、地下水の浸入および排出は速やかに行われるとともに、内部空間内に滞留するのも阻止することができる。
【００４０】
地中に埋設される盛土構造体において、盛土用ユニットＢには、上方および側方からの圧力が作用する。盛土用ブロックＡ１は、周側壁２よりも厚みが２倍または２倍以上である仕切り壁３と、前記した突起部６とを備えることで、同じ厚みの周側壁と仕切り壁とで構成される盛土用ブロックと比較して、上方からの荷重に対して、高い強度を示す。上方からの荷重の大きさに応じて、仕切り壁３の枚数および突起部６の数を適宜調整する。突起部６のすべてを省略することもできる。また、仕切り壁３を増減する場合に、そのうちの少なくとも一枚が周側壁２よりも厚みが２倍または２倍以上である仕切り壁３であればよく、他の仕切り壁は、周側壁２の厚みと同じか、それよりも厚みの薄いものであってもよい。いずれの場合にも、すべての仕切り壁に縦溝４を形成することは必要である。
【００４１】
また、入り隅部と突起部６を接続する補強壁１０を備えることで、上からの荷重により入り隅部が外側に広がろうとするのを効果的に抑え込むことができ、この点からも強度的に安定した盛土用ブロックＡ１、ひいては盛土用ユニットＢが得られる。もちろん、施工の現場環境に応じて、強度的な安定性が確保される場合には、補強壁１０の幾つかを省略した盛土用ブロックＡ１、または図４に示すように、すべての補強壁１０を省略した盛土用ブロックを用いることもできる。
【００４２】
また、盛土用ブロックＡ１は、周側壁２よりも厚みが２倍または２倍以上である仕切り壁３を備えることで、同じ厚みの周側壁と仕切り壁とで構成される盛土用ブロックと比較して、側圧（土圧）に対しても高い強度を示す。また、前記補強壁１０は側圧に対する補強材としても機能する。仕切り壁２のみを厚さの厚いものとすることで、所要の強度を持ちながら、貯水効率の大きな低下を伴わない盛土用ブロックＡ１が得られる。
【００４３】
［盛土用ブロックの使用形態−その２］
通常、盛土用ブロックＡ１は、図１に示した形状のものを標準の大きさとして、施工現場で用いられる。しかし、施工現場によっては、標準品よりもより形の小さい、例えば、１／２または１／４の大きさの盛土用ブロックが必要とされる場合が起こり得る。本発明による盛土用ブロックＡ１は、その要求に対して適切に答えることができる。
【００４４】
もし、１／２の大きさの盛土用ブロックが必要とされる場合には、例えばニクロム線ヒーターを用いて、前記した第１仕切り壁３ａまたは第２仕切り壁３ｂの厚み方向の中央位置から２分割する。図示の例では、２つの仕切り壁３（第１仕切り壁３ａと第２仕切り壁３ｂ）の頂面には、分割時に目印となる切り込み１１が形成されているので、該切り込み１１の箇所から分割することで、容易に２分割することができる。また、２分割後の２つの盛土用ブロックを、図３に示すように重ね合わせて、１／２の容積の盛土用ユニットＢとすることもできる。
【００４５】
２分割された２つの盛土用ブロックは、仕切り壁３が周側壁２の厚みのほぼ２倍である場合には、４周の側壁の厚みがほぼ等しいものとなり、強度的に安定した２つの分割した盛土用ブロックが得られる。もし、分割面での周側壁に他の周側壁よりも強い強度が必要とされるような施工現場で使用する場合には、仕切り壁３の厚みを周側壁２の厚みの２倍以上としておくことで、確実に対処することができる。
【００４６】
１／４に分割した大きさの盛土用ブロックが必要とされる場合には、第１仕切り壁３ａと第２仕切り壁３ｂの双方において、その厚み方向の中央位置から分割することで、４分割された盛土用ブロックを得ることができる。分割後の４つの盛土用ブロックのそれぞれが強度的に安定した周側壁を持つものであることは、２分割した場合と同じである。また、４分割された盛土用ブロックから、図１でいう、例えば、分割空間Ｓ１を備えたものと分割空間Ｓ２を備えたものとを、図３に示すように重ね合わせて、１／４の容積の盛土用ユニットＢとすることもできる。
【００４７】
［盛土用ブロックの使用形態−その３］
図示しないが、盛土用ブロックＡ１を反転させることなく同じ向きのままで多段に積み上げて盛土用ユニットＢとすることもできる。その際には、天板１の上面側に、前記した突起部６の頂部に形成した嵌合凸部９が入り込むことのできる嵌合凹部を形成しておくことで、積み上げ姿勢の安定した盛土用ユニットＢが得られる。盛土用ブロックＡ１の開放面側が露出する部分には、コンクリート床版等の遮蔽板を配置することが望ましい。その際に、遮蔽板に突起部６の頂部に形成した嵌合凸部９が入り込むことのできる嵌合凹部を形成しておくことは望ましい。
【００４８】
［盛土用ブロックの第２の実施の形態］
図４は、本発明による発泡樹脂製の盛土用ブロックの第２の実施の形態を示している。この盛土用ブロックＡ２は、盛土用ブロックＡ１において形成されていた入り隅部と突起部６とを接続する補強壁１０を有していない点、および、第１仕切り壁３ａと第２仕切り壁３ｂの頂面に形成した切り込み１１を有しない点で、構成が異なっている。その他の構成は盛土用ブロックＡ１と同じであり、同じ符号を付すことで説明は省略する。また、図示の形状において、補強リブ７の形状が、盛土用ブロックＡ２では、盛土用ブロックＡ１におけるよりも、幅が狭くかつやや長くなっているが、補強リブ７の形状や大きさは、盛土用ブロックＡ２に求められる強度に応じて適宜設定すればよいものであり、本質的な構成上の相違ではない。
【００４９】
［盛土用ブロックの第３の実施の形態］
図５は、本発明による発泡樹脂製の盛土用ブロックの第３の実施の形態を示している。この盛土用ブロックＡ３は、図４に示した盛土用ブロックＡ２に対して、盛土用ブロックＡ１において形成されていた入り隅部と突起部６とを接続する補強壁１０に相当する補強壁１０を備えるようにした点で、前記した盛土用ブロックＡ２と構成が異なっている。その他の構成は盛土用ブロックＡ２と同じであり、同じ符号を付すことで説明は省略する。補強壁１０が奏する作用効果は、盛土用ブロックＡ１で説明したとおりである。
【００５０】
［盛土用ブロックの第４の実施の形態］
図６は、本発明による発泡樹脂製の盛土用ブロックの第４の実施の形態を示している。この盛土用ブロックＡ４は、第１仕切り壁３ａと第２仕切り壁３ｂに加えて、さらに、周側壁２の対向する入り隅部同士を接続する２つの互いに直交する第３仕切り壁３ｃ、３ｃを備える点で、盛土用ブロックＡ１とは構成が異なっている。第３仕切り壁３ｃも、第１仕切り壁３ａと第２仕切り壁３ｂと同様、周側壁２の厚みのほぼ２倍または２倍以上であり、かつ、天板１の裏面に達する深さの適数（図示のものでは各６個）の縦溝４が形成されている。
【００５１】
盛土用ブロックＡ４は、仕切り壁３が、互いに交差する４枚の仕切り壁（第１仕切り壁３ａと第２仕切り壁３ｂと第３仕切り壁３ｃ、３ｃ）で構成されることで、周側壁２で区画される空間Ｓは、８個の分割空間に区分けされる。そして、各８個の分割空間には、それぞれ１つの突起部６が形成されており、その突起部６と、交差する周側壁２、２同士で形成される４つの入り隅部を除く、他の８個の入り隅部が、補強壁１０で接続されている。なお、交差する周側壁同士で形成される４つの入り隅部は、第３仕切り壁３ｃ、３ｃと接続しており、強度は確保されているので、別途補強壁は必要としない。
【００５２】
盛土用ブロックＡ４は、標準品である盛土用ブロックＡ４を第３仕切り壁３ｃ、３ｃを利用して、周側壁２と交差する方向に裁断し分割することが可能であり、施工現場でのより多くの要求に応えることができる。
【００５３】
［盛土用ブロックの使用形態−その４］
特に図示しないが、上記した第２〜第４の実施の形態の盛土用ブロックＡ２〜Ａ４も、第１の実施の形態の盛土用ブロックＡ１と同様な手法により、盛土用ユニットＢとして構成することができる。また、構成された盛土用ユニットＢを用いて盛土構築体とすることもできる。さらに、盛土用ブロックＡ１〜Ａ４はすべて平面視で正方形であるものを示したが、平面視で長方形の盛土用ブロックであってもよく、それを用いて、同様に盛土用ユニットＢを形成し、また盛土構築体とすることもできる。
【実施例】
【００５４】
以下、実施例と比較例により、本発明による盛土用ブロックの機械的強度の優位性を説明する。
【００５５】
［実施例］
［試験品］
発泡ポリスチレンブロック（５０ｋｇ／ｍ３）から、１０００ｍｍ×１０００ｍｍ×２５０ｍｍの大きさであり、図４に示した第２の実施の形態である盛土用ブロックＡ２（ただし、仕切り壁の厚さが周側壁の厚さの２倍）、および、図５に示した第３の実施の形態である盛土用ブロックＡ３（ただし、仕切り壁の厚さが周側壁の厚さの２倍）を切り出して作成した。切り出した盛土用ブロックＡ２と盛土用ブロックＡ３を、仕切り壁３ａ、３ｂの中央部で分割して、１／４の大きさのサンプル（実施例品１、実施例品２）を得た。各サンプルの空隙率（空間Ｓ／全容積×１００）は６０％、見かけ密度は２０ｋｇ／ｍ３である。
【００５６】
［試験］
実施例品１（盛土用ブロックＡ２から分割された１／４の大きさのサンプル）を実施例１とし、実施例品２（盛土用ブロックＡ３から分割された１／４の大きさのサンプル）を実施例２とした。実施例１と２について、ＪＩＳ  Ｋ ７２２０に準じて、応力歪み曲線を求めた。試験は２５ｍｍ／ｍｉｎの変位速度で行った。その結果を図７に示した。また、試験片の厚みが１０％変形したときの圧縮応力（Ｎ／ｍｍ２）を表１に示した。
【００５７】
［比較例］
［試験品］
同じ材料から図４に示した第２の実施の形態である盛土用ブロックＡ２を切り出した後、仕切り壁３ａ、３ｂの厚さを周側壁と同じ厚さにまで削り落とした。削り落とした仕切り壁の中央部で分割して、１／４の大きさのサンプル（比較例品１）を得た。
【００５８】
［試験］
比較例品１を比較例１とし、比較例１について、実施例１、２と同様にして応力歪み曲線を求めた。その結果を図７に示した。また、試験片の厚みが１０％変形したときの圧縮応力（Ｎ／ｍｍ２）を表１に示した。
【００５９】
［評価］
図７および表１からわかるように、実施例１、２の本発明による盛土用ブロックは、比較例品と比べて圧縮応力が大きくなっており、仕切り壁の厚さを周側壁の厚さの２倍としたことの有効性が示される。また、実施例２では、実施例１と比べてさらに圧縮応力が大きくなっており、これは補強壁１０を設けたことによるものである。
【００６０】
【表１】
2014163050.tif 000003
【符号の説明】
【００６１】
Ａ１〜Ａ４…盛土用ブロック、
１…天板、
２（２ａ〜２ｄ）…周側壁、
３（３ａ〜３ｃ）…仕切り壁、
４…縦溝、
５…補強リブ、
６…突起部、
７…補強リブ、
８…嵌合凹部、
９…嵌合凸部、
１０…補強壁、
Ｓ…周側壁で囲われた空間、
Ｓ１〜Ｓ４…仕切り壁で分割された分割空間。
【図１】
2014163050.tif 000004
【図２】
2014163050.tif 000005
【図３】
2014163050.tif 000006
【図４】
2014163050.tif 000007
【図５】
2014163050.tif 000008
【図６】
2014163050.tif 000009
【図７】
2014163050.tif 000010